(57)【特許請求の範囲】
【請求項１】
張りつける板材の板面に沿って配置されるベース部材と、上記ベース部材上でスライドするスライドハンマ部材とを備え、
上記ベース部材は、金属板が屈曲形成されて全体として略長方形状に形成され、
略長方形状の長手方向端部の帯状の部分が下向きに屈曲形成されることにより、上記板材の端部に引っ掛ける引っ掛け部が形成され、
上記引っ掛け部と長手方向反対側の端部における帯状の部分が上向きに屈曲形成されることにより、上記スライドハンマ部材が打ちつけられる打撃部が形成され、
上記引っ掛け部と打撃部の間の両側辺における打撃部側の部分に、ベース部材の両側の帯状の部分をそれぞれ上側に屈曲形成されることにより、上記スライドハンマ部材のスライドをガイドするガイド部が形成され、
上記スライドハンマ部材は、金属板の両端部が上記ガイド部にガイドされてスライドするように構成され、引っ掛け部側の端部が上向きに屈曲されて把持部が形成されていることを特徴とする板材張り工具。
【請求項２】
上記ガイド部にガイドされてスライドするスライドハンマ部材の抜け止めをする抜け止め部を備えた請求項１記載の板材張り工具。
【発明の詳細な説明】
【技術分野】
【０００１】
本発明は、主としてフローリング等に用いる床板材を張る際に用いることができる板材張り工具に関するものである。
【背景技術】
【０００２】
フローリング用等の床には、主として縁部に凹凸状の嵌合部を有する床板材が用いられる。このような床板材は、床面の片側から順に張っていき、既に貼り付けた床板材の横に次の床板材をおいて、金槌等で叩いて床板材同士を均一にしっかり合わせて隙間を詰め、くぎ等によって固定することが行なわれる。このとき、床板材にキズをつけないように床板材に添え木をしてその上を金槌等で叩くことが行なわれる。ところが、最後の壁際近くや間仕切り近傍の張り仕舞い工程になると、金槌を使うことが困難になり、楔を押し込んで叩いたり、ヘラ金物を用いて床板材を収めるようにしていたが、このような方法は、非常に作業が行ないづらく、床板材等にキズをつけることなく精度よく綺麗に仕上げるには高い技術が必要であった。また、床板材だけでなく、壁にサイディング材や板材を張る場合も、天井面との取り合いでは同様の問題がある。
【０００３】
そこで、下記の特許文献１に示すように、棒の一端を下方に直角状に屈曲して挿入部とし、もう一端を上方にくの字に屈曲して押打部とし、上記挿入部を壁と床板材の、隙間に挿入して押打部を金槌等の工具で押打するフロア張仕舞い工具が提案されている。
【特許文献１】特開平０６−０１７５３２号公報
【発明の開示】
【発明が解決しようとする課題】
【０００４】
しかしながら、上記特許文献１の工具では、棒の一端を屈曲した小さな挿入部が床板材等に引っ掛けられ、金槌等の押打力で上記挿入部が強く床板材等に作用するため、結局、床板材を傷つけやすいという問題の根本的な解決には至っていない。また、棒の一端をくの字に屈曲した押打部に対して金槌の押打力を作用させる際に、目標箇所が小さいために押打が不確実になり、床板材を傷つける原因になったり、怪我をしやすい危険があったりするという問題がある。しかも、フロア張仕舞い工具と金槌との２つの工具を常にセットで使用しなければならないため、片方の工具を探す作業に手間取るような作業の無駄も生まれやすい。
【０００５】
本発明は、上記のような事情に鑑みなされたもので、金槌等の第２の工具を使用することなく、手作業だけで誰でも簡単かつ安全に綺麗に板材を張ることができる板材張り工具の提供を目的とする。
【課題を解決するための手段】
【０００６】
上記目的を達成するため、本発明の板材張り工具は、張りつける板材の板面に沿って配置されるベース部材と、上記ベース部材上でスライドするスライドハンマ部材とを備え、
上記ベース部材は、金属板が屈曲形成されて全体として略長方形状に形成され、
略長方形状の長手方向端部の帯状の部分が下向きに屈曲形成されることにより、上記板材の端部に引っ掛ける引っ掛け部が形成され、
上記引っ掛け部と長手方向反対側の端部における帯状の部分が上向きに屈曲形成されることにより、上記スライドハンマ部材が打ちつけられる打撃部が形成され、
上記引っ掛け部と打撃部の間の両側辺における打撃部側の部分に、ベース部材の両側の帯状の部分をそれぞれ上側に屈曲形成されることにより、上記スライドハンマ部材のスライドをガイドするガイド部が形成され、
上記スライドハンマ部材は、金属板の両端部が上記ガイド部にガイドされてスライドするように構成され、引っ掛け部側の端部が上向きに屈曲されて把持部が形成されていることを要旨とする。
【発明の効果】
【０００７】
すなわち、本発明の板材張り工具は、張りつける板材の板面に沿ってベース部材を配置し、上記ベース部材上でスライドハンマ部材をスライドさせる。このとき、上記引っ掛け部を板材の端部に引っ掛け、上記スライドハンマ部材をガイド部に沿ってスライドさせて、上記スライドハンマ部材を打撃部に向かって打ちつけることにより、板材に衝撃力を与えて板材同士の隙間を精度よく綺麗に詰めて仕上げることができる。このように、スライドハンマ部材をガイド部に沿ってスライドさせるだけでよいため、従来のように、不確実な打撃によって板材を傷つけたり、怪我につながったりすることがなく、安全かつ確実に作業を行なうことができる。また、スライドハンマ部材とベース部材がセットになっていることから、従来のように片方の工具を探すのに手間取る作業の無駄も皆無となる。
上記引っ掛け部は、板状のベース部材の端部を屈曲した帯状に形成されているため、引っ掛け部と板材との接触面積が大きく、板材のキズ付を最小限に防止できる。
【０００９】
本発明において、上記ガイド部にガイドされてスライドするスライドハンマ部材の抜け止めをする抜け止め部を備えた場合には、スライドハンマ部材とベース部材が外れなくなる。
【発明を実施するための最良の形態】
【００１０】
つぎに、本発明を実施するための最良の形態を説明する。
【００１１】
図１〜図３は、本発明の板材張り工具の一実施の形態を示す図である。図１は全体構造を示す斜視図、図２（Ａ）はＡ−Ａ断面図、図２（Ｂ）はＢ−Ｂ断面図である。図３は、使用状態を説明するための図である。この例では、板材２０としてフローリングの床材を張る場合を例に挙げて説明する。
【００１２】
この板材張り工具は、張りつける板材２０の板面２１に沿って配置されるベース部材１と、上記ベース部材１上でスライドするスライドハンマ部材２とを備えている。上記ベース部材１は、上記板材２０の端部に引っ掛ける引っ掛け部３と、上記スライドハンマ部材２のスライドをガイドするガイド部４と、上記スライドハンマ部材２が打ちつけられる打撃部５とを備えて構成されている。
【００１３】
より詳しく説明すると、上記ベース部材１は、鋼等の金属板が屈曲形成されて構成され、全体として大略長方形状に形成されている。略長方形の長手方向端部には、端部の帯状の部分が下向きに約９０度屈曲形成されることにより、引っ掛け部３が形成されている。このように上記引っ掛け部３は、板状のベース部材１の端部を屈曲した帯状に形成され、引っ掛け部３を板材２０の端部に引っ掛けたときに、板材２０との接触面積が大きく、板材２０のキズ付を最小限に防止することができる。
【００１４】
また、上記引っ掛け部３と長手方向反対側の端部において帯状の部分が、上向きに約９０度屈曲形成されることにより、打撃部５が形成されている。上記引っ掛け部３と打撃部５の間の両側辺における打撃部５側の部分に、スライドハンマ部材２のスライドをガイドするためのガイド部４が形成されている。
【００１５】
上記ガイド部４は、ベース部材１の両側の帯状の部分をそれぞれ上側すなわち打撃部５側に屈曲形成されて構成されている。すなわち、ベース部材１の両側の所定幅の帯状の部分を９０度上側に屈曲し、その屈曲部の端部側の所定幅をさらにそれぞれ内側に９０度屈曲し、それぞれ内側向きに対面する開放部７を形成している。
【００１６】
上記のように形成したガイド部４の引っ掛け部３側の端部からスライドハンマ部材２が差し込まれ、両ガイド部４がスライドハンマ部材２の両側を抱えるようにガイドして、スライドハンマ部材２が長手方向にスライド可能となるように構成されている。
【００１７】
上記スライドハンマ部材２は、鋼等の金属板が屈曲形成され、両端部が上記ガイド部４の開放部７に差し込まれてスライドするように構成されている。その状態で、スライドハンマ部材２の引っ掛け部３側の端部には、９０度上向きに屈曲され、スライドハンマ部材２をスライドさせて打撃するときに手指で把持する把持部８が形成されている。上記把持部８は、ガイド部４にガイドされてスライドハンマ部材２がスライドするときに、ガイド部４と干渉しないよう両端部の被ガイド部を避けて内側寄りの領域に形成されている。
【００１８】
一方、上記ベース部材１の両ガイド部４よりも引っ掛け部３寄りの部分には、ガイド部４にスライド可能にはめ込まれたスライドハンマ部材２と干渉し、スライドハンマ部材２が引っ掛け部３の方に抜け落ちるのを防止する抜け止め部６が設けられている。上記抜け止め部６は、ベース部材１の両側辺に突出形成された突片が、ベース部材１の上面で湾曲するよう屈曲されて形成されている。一方、スライドハンマ部材２の反対側への抜け落ちは、打撃部５にあたることにより防止されている。
【００１９】
ここで、上記スライドハンマ部材２は、打撃部５と抜け止め部６との間でスライド可能になっている。そして、上記ガイド部４のスライド方向の寸法は、スライドハンマ部材２のスライド方向における寸法よりも大きくなるよう設定されている。また、ガイド部４と抜け止め部６との間の寸法は、スライドハンマ部材２のスライド方向における寸法の半分以下好ましくは３分の１以下に設定されている。これにより、スライドハンマ部材２は、ほぼガイド部４から外れない上体でスライドし、安定したスライド状態を維持できる。また、上記ガイド部４にガイドされてスライドするスライドハンマ部材２の抜け止めをする抜け止め部６を備えているため、スライドハンマ部材２とベース部材１が外れなくなる。
【００２０】
図３に示すように、上記板材張り工具は、両側に嵌合用の凹凸が設けられた板材２０を順次張る際に、まず、既に設置した板材２０の横に次の板材２０を位置決めし、既に設置した板材２０の凹凸部に次の板材２０の凹凸部を合わせ、他方の端部に引っ掛け部３を引っ掛けて、板材２０の板面２１に沿ってベース部材１を配置する。つぎに、スライドハンマ部材２の把持部８に手指をかけてスライドハンマ部材２を勢いよく打撃部５に向かってスライドさせ、スライドハンマ部材２を打撃部５に衝突させる。このときの衝撃力により、次の板材２０の凹凸部を既に設置した板材２０の凹凸部に嵌合させ、板材２０同士の隙間を精度よく綺麗に詰めて仕上げることがおこなわれる。ここで、上記打撃部５のスライドハンマ部材２が当る面には、衝撃力を大幅に低下させない範囲で衝撃音を緩和するために、フェルト等のクッションシートを貼り付けるのが好ましい。
【００２１】
以上のように、上記板材張り工具は、張りつける板材２０の板面２１に沿ってベース部材１を配置し、上記ベース部材１上でスライドハンマ部材２をスライドさせる。このとき、上記引っ掛け部３を板材２０の端部に引っ掛け、上記スライドハンマ部材２をガイド部４に沿ってスライドさせて、上記スライドハンマ部材２を打撃部５に向かって打ちつけることにより、板材２０に衝撃力を与えて板材２０同士の隙間を精度よく綺麗に詰めて仕上げることができる。
【００２２】
このように、スライドハンマ部材２をガイド部４に沿ってスライドさせるだけでよいため、従来のように、不確実な打撃によって板材２０を傷つけたり、怪我につながったりすることがなく、安全かつ確実に作業を行なうことができる。また、スライドハンマ部材２とベース部材１がセットになっていることから、従来のように片方の工具を探すのに手間取る作業の無駄も皆無となる。
【００２３】
また、上記引っ掛け部３は、板状のベース部材１の端部を屈曲した帯状に形成されているため、引っ掛け部３と板材２０との接触面積が大きく、板材２０のキズ付を最小限に防止できる。
【００２４】
また、上記ガイド部４にガイドされてスライドするスライドハンマ部材２の抜け止めをする抜け止め部６を備えたため、スライドハンマ部材２とベース部材１が外れて別々にならない。
【００２５】
上記実施形態では、本発明の板材張り工具をフローリング等の床板を張る際に使用する場合を例に挙げて説明したが、これに限定するものではなく、壁にサイディング材や板材を張る場合の天井面との取り合いも同様に使用することができる。順に板材を張って障害物との取り合いにおける張り仕舞い工程において各種の板材に適用可能である。
【図面の簡単な説明】
【００２６】
【図１】本発明の一実施形態の板材張り工具を示す斜視図である。
【図２】上記板材張り工具を示す断面図である。
【図３】上記板材張り工具の使用状態を説明する図である。
【符号の説明】
【００２７】
１：ベース部材
２：スライドハンマ部材
３：引っ掛け部
４：ガイド部
５：打撃部
６：抜け止め部
７：開放部
８：把持部
２０：板材
２１：板面
【図１】
0005388485.tif 000002
【図２】
0005388485.tif 000003
【図３】
0005388485.tif 000004